(57)【要約】【課題】被写体の位置によらず、露光間ズーム撮影により適切な画像を得ることができるようにする。【解決手段】被写体指定部１１９が被写体の位置情報を取得して、各ズームポイントにおけるシフトレンズの中心移動量を算出する。そして、露光中に、ズーム駆動制御部１０９がズームレンズユニット１０１の駆動を行い、各ズームポイントＺＮにおいては、シフトレンズ中心位置変更部が中心移動量分だけシフトレンズユニット１０３を駆動するようにして、被写体が画角の中心にない場合であっても、被写体から周辺に向けて放射状に流れた画像を得ることができるようにする。【選択図】図１
2011095501.tif 000002
【特許請求の範囲】
【請求項１】
ズームレンズを含む光学系によって結像した被写体像を撮像する撮像素子を有する撮像装置であって、
前記ズームレンズを光軸方向に駆動するズーム駆動手段と、
前記撮像素子の面上での前記被写体像の位置情報を取得する取得手段と、
光軸と垂直な方向に移動可能な補正部材を駆動する補正部材駆動手段とを有し、
前記補正部材駆動手段は、露光中に前記ズーム駆動手段により前記ズームレンズを駆動する際に、前記取得手段によって取得された前記位置情報に応じて前記補正部材を駆動することを特徴とする撮像装置。
【請求項２】
前記補正部材駆動手段は、前記ズーム駆動手段により前記ズームレンズを露光中に駆動する際に、画角の中心から前記被写体像までの距離に応じて、前記補正部材を駆動することを特徴とする請求項１に記載の撮像装置。
【請求項３】
被写体像を撮像する撮像素子を有する撮像装置であって、
ズームレンズを駆動するズーム駆動手段と、
前記被写体像の位置情報を取得する取得手段と、
光軸と垂直な方向に移動可能な補正部材を駆動する補正部材駆動手段とを有し、
前記補正部材駆動手段は、前記ズーム駆動手段により前記ズームレンズを露光中に駆動する前に、前記取得手段によって取得された前記位置情報が画角の中心に相当するように前記補正部材を駆動することを特徴とする撮像装置。
【請求項４】
前記取得手段は、前記被写体像から顔の情報を検出することにより前記位置情報を取得することを特徴とする請求項１〜３の何れか１項に記載の撮像装置。
【請求項５】
前記取得手段は、前記被写体像が複数存在する場合には、画角の中心に最も近い位置にある被写体像の位置情報を取得することを特徴とする請求項４に記載の撮像装置。
【請求項６】
ユーザの操作に応じて前記被写体像を選択する操作手段をさらに有し、
前記取得手段は、前記操作手段により選択された被写体像に対応する前記位置情報を取得することを特徴とする請求項５に記載の撮像装置。
【請求項７】
前記ズーム駆動手段は、露光が終了した後に前記ズームレンズを、露光を開始する前の位置に戻し、
前記補正部材駆動手段は、露光が終了した後に前記補正部材を駆動する前の位置に戻すことを特徴とする請求項６に記載の撮像装置。
【発明の詳細な説明】
【技術分野】
【０００１】
本発明は撮像装置に関し、特に、露光間ズーム撮影を行うために用いて好適な技術に関する。
【背景技術】
【０００２】
従来、画像周辺を放射状に流れたような特殊効果を得るための撮影方法として撮像装置の露光中にズーム駆動を行う露光間ズーム撮影が広く知られている。この露光間ズーム撮影を一眼レフカメラのように撮影者がズーム機構を動かす撮像装置において行うためには非常に高度な技術が必要であり、熟練を必要とする。そこで、このような背景から、初心者であっても簡単に露光間ズーム撮影ができるように、電動でズームを動かして露光タイミングと同期させる技術が開示されている（例えば、特許文献１参照）。
【先行技術文献】
【特許文献】
【０００３】
【特許文献１】特公平７−２３９４９号公報
【発明の概要】
【発明が解決しようとする課題】
【０００４】
しかしながら、露光間ズーム撮影により前述した特殊効果が最も得られるのは、被写体が画角の中心近傍にある場合であり、被写体が画角の端にある場合はこのような特殊効果があまり得られえない。具体的な例として、図８及び図９を参照しながら説明する。
【０００５】
図８（ａ）は、露光間ズーム制御を開始する前の状態であり、被写体が画角の中心近傍にある状況を示す図である。図８（ａ）に示す状況ではピントが合っており、このまま露光間ズーム制御が開始されると、図８（ｂ）に示すように、被写体が画角の中心近傍にありながらズーミングされた状況になる。そして、露光間ズーム制御が終了すると、最終的には図８（ｃ）に示すように、被写体が画角の中心近傍にありながらさらにズーミングされた状況になる。
【０００６】
図８（ｄ）は、最終的に露光された画像であり、図８（ａ）、図８（ｂ）及び図８（ｃ）に示す画像が合成されたイメージを示している。図８（ｄ）に示す画像は、図８（ａ）に示すピントが合っている被写体が最も鮮明に露光されている。そして、図８（ｂ）及び図８（ｃ）に示す画像の効果により、被写体を含めて、画像周辺へ向けて放射状に流れた画像が形成される。このように、被写体が画角の中心近傍にある場合は、前述した特殊効果が得られる。
【０００７】
これに対して、図９（ａ）は、露光間ズーム制御を開始する前の状態であり、被写体が画角の中心近傍にない状況を示す図である。図９（ａ）に示す状況ではピントが合っているものの、このまま露光間ズーム制御が開始されると、図９（ｂ）に示すように、被写体が画角の端方向に外れながらズーミングされた状況になる。そして、露光間ズーム制御が終了すると、最終的には図９（ｃ）に示すように、図９（ｂ）に示す状況よりもさらに被写体が画角の端方向に外れながらさらにズーミングされた状況になる。
【０００８】
図９（ｄ）は、最終的に露光された画像であり、図９（ａ）、図９（ｂ）及び図９（ｃ）に示す画像が合成されたイメージを示している。図９（ｄ）に示す画像は、図９（ａ）に示すピントが合っている被写体が最も鮮明に露光されている。そして、図９（ｂ）及び図９（ｃ）に示す画像の効果により、被写体までもが、画像周辺へ向けて放射状に流れた画像が形成される。このように、被写体が画角の中心近傍にない場合は、前述した特殊効果が得られないという問題点がある。
【０００９】
本発明は前述の問題点に鑑み、被写体の位置によらず、露光間ズーム撮影により適切な画像を得ることができるようにすることを目的としている。
【課題を解決するための手段】
【００１０】
本発明の撮像装置は、ズームレンズを含む光学系によって結像した被写体像を撮像する撮像素子を有する撮像装置であって、前記ズームレンズを光軸方向に駆動するズーム駆動手段と、前記撮像素子の面上での前記被写体像の位置情報を取得する取得手段と、光軸と垂直な方向に移動可能な補正部材を駆動する補正部材駆動手段とを有し、前記補正部材駆動手段は、露光中に前記ズーム駆動手段により前記ズームレンズを駆動する際に、前記取得手段によって取得された前記位置情報に応じて前記補正部材を駆動することを特徴とする。
【発明の効果】
【００１１】
本発明によれば、露光間ズーム撮影を行う際に、被写体が画角の中心にない場合であっても、被写体から周辺に向けて放射状に流れた画像を得ることができる。
【図面の簡単な説明】
【００１２】
【図１】本発明の実施形態に係る撮像装置の構成例を示すブロック図である。
【図２】各レンズの駆動制御部の詳細な構成例を示すブロック図である。
【図３】本発明の実施形態に係る露光間ズーム制御の処理手順のうち、第１の実施形態を示すフローチャートである。
【図４】本発明の実施形態に係る露光間ズーム撮影の概要の一例を示す図である。
【図５】本発明の実施形態に係る露光間ズーム制御の処理手順のうち、第２の実施形態を他の例を示すフローチャートである。
【図６】本発明の実施形態に係る露光間ズーム制御の処理手順のうち、第３の実施形態をその他の例を示すフローチャートである。
【図７】本発明の実施形態に係る露光間ズーム制御の処理手順のうち、第４の実施形態をその他の例を示すフローチャートである。
【図８】効果が得られる露光間ズーム撮影の概要の一例を示す図である。
【図９】効果が得られない露光間ズーム撮影の概要の一例を示す図である。
【発明を実施するための形態】
【００１３】
（第１の実施形態）
以下、図面を参照しながら本発明の実施形態について説明する。
図１は、本実施形態に係る撮像装置１００の構成例を示すブロック図である。
図１において、ズームレンズユニット１０１は光軸方向に位置を変更することにより倍率を変更するためのレンズである。ズーム駆動制御部１０９は、このズームレンズユニット１０１を駆動制御するためのものである。シャッタ・絞りユニット１０２は、露光量を調整するためのユニットである。また、シャッタ・絞り駆動制御部１１０は、このシャッタ・絞りユニット１０２を駆動制御する。
【００１４】
シフトレンズユニット１０３（補正部材）は、本実施形態においては振れ補正のために用いるシフトレンズを光軸に直交する方向に移動可能になるように構成されている。シフトレンズ駆動制御部１１１は補正部材駆動手段として機能し、このシフトレンズユニット１０３を駆動制御する。さらに、フォーカスレンズユニット１０４は光軸方向に位置を変更してピント調整を行うためのレンズである。また、フォーカス駆動制御部１１２は、このフォーカスレンズユニット１０４を駆動制御する。
【００１５】
撮像素子１０５は、ズームレンズユニット１０１、シフトレンズユニット１０３及びフォーカスレンズユニット１０４からなる本撮像装置の光学系を通過して撮像素子１０５の面上に結像した光像を電気信号に変換するためのものである。撮像信号処理部１０６は、撮像素子１０５から出力された電気信号を映像信号に変換処理するためのものである。映像信号処理部１０７は、撮像信号処理部１０６から出力された映像信号を用途に応じて画像処理するためのものである。表示部１０８は、映像信号処理部１０７から出力された信号に基づいて、必要に応じて画像を表示するためのものである。また、表示制御部１１３は、撮像素子１０５の動作及び表示部１０８の表示を制御するためのものである。
【００１６】
電源部１１４は、撮像装置１００全体へ用途に応じて電源を供給するためのものである。外部入出力端子部１１５は、外部装置との間で通信信号及び映像信号を入出力するためのものである。操作部１１６は、ユーザによる操作に応じてシステム制御部１１８に対して指示を送るためのものである。また、操作部１１６は、押し込み量に応じて第１スイッチ（以下、ＳＷ１）及び第２スイッチ（以下、ＳＷ２）が順にオンするように構成されたシャッタレリーズボタンを有している。そして、シャッタレリーズボタンを約半分押し込んだときにＳＷ１がオンし、シャッタレリーズボタンを最後まで押し込んだときにＳＷ２がオンする構造となっている。また、シャッタレリーズボタンが押下されていない間は、撮像素子１０５を経由して生成された映像信号が表示部１０８に画像としてリアルタイムに表示される。
【００１７】
記憶部１１７は、映像情報など様々なデータを記憶するためのものである。システム制御部１１８は撮像装置１００全体を制御する制御部である。また被写体指定部１１９は、撮像素子１０５、撮像信号処理部１０６及び映像信号処理部１０７を経由した映像信号に対して、画角または画像上での被写体の位置もしくは被写体の所定の部位（顔、大きさ、色等により判別可能な部位）を検知するためのものである。
【００１８】
次に、本実施形態に係る撮像装置１００の動作について説明する。操作部１１６のＳＷ１がオンされると、フォーカス駆動制御部１１２がフォーカスレンズユニット１０４を駆動してピント調整を行うとともに、シャッタ・絞り駆動制御部１１０がシャッタ・絞り１０２を駆動して適正な露光量に設定する。さらに、操作部１１６のＳＷ２がオンされると、システム制御部１１８は、撮像素子１０５に露光された光像から得られた画像データを記憶部１１７に記憶する。
【００１９】
このとき、操作部１１６より振れ補正機能オンの指示がある場合は、システム制御部１１８は、シフトレンズ駆動制御部１１１に振れ補正動作を指示する。そして、この指示を受けたシフトレンズ駆動制御部１１１は、振れ補正機能オフの指示がなされるまで振れ補正動作を行う。また、操作部１１６が一定時間操作されなかった場合、システム制御部１１８は、省電力のために表示部１０８の電源を遮断する指示を出す。
【００２０】
なお、操作部１１６に対して、ズームレンズユニット１０１を駆動することによる変倍の指示がある場合は、システム制御部１１８を介して指示を受けたズーム駆動制御部１０９がズームレンズユニット１０１を駆動する。そして、指示されたズーム位置にズームレンズユニット１０１を移動する。さらに、撮像素子１０５から撮像信号処理部１０６及び映像信号処理部１０７を経由して画像処理された画像信号に基づいて、フォーカス駆動制御部１１２がフォーカスレンズユニット１０４を駆動してピント調整を行う。
【００２１】
図２は、図１に示すズーム駆動制御部１０９及びシフトレンズ駆動制御部１１１の詳細な構成例を示すブロック図である。まず、ズーム駆動制御部１０９の詳細な構成について説明する。
図２において、ズームモータ２０１は、ズームレンズユニット１０１のズーミング動作を行うためのモータであり、ズームモータ駆動回路２０２は、ズームモータ２０１を駆動させるアナログ回路である。リセット位置検出部２０３は、ズームレンズユニット１０１のリセット位置を検出するためのものであり、ズーム位置検出部２０４は、ズームレンズユニット１０１の位置を検出するためのものである。
【００２２】
ズーム制御部２０５は、ズーム位置検出部２０４の検出結果に応じてズーム移動量の制御を行う。具体的には、ズームモータ駆動回路２０２を介してズームモータ２０１を回転させ、ズームレンズユニット１０１を駆動する。また、ズーム制御部２０５は、リセット位置検出部２０３の検出結果に応じてズームの基準位置を判定する。さらに、露光間ズーム制御部２０６は、ズーム制御部２０５、及びシャッタ・絞り駆動制御部１１０の制御を並列して同時に行い、露光中のズーム駆動動作を行う。
【００２３】
次に、シフトレンズ駆動制御部１１１の詳細な構成について説明する。レンズ駆動コイル２０７は、シフトレンズユニット１０３を光軸に対して垂直な方向に駆動させるためのものであり、ドライブ部２０８は、レンズ駆動コイル２０７に流れる電流を制御するためのものである。レンズ位置検出部２０９は、シフトレンズユニット１０３の現在位置を検出し、その情報を２１０シフトレンズ制御部２１０に送る。シフトレンズ制御部２１０は、システム制御部１１８で演算された振れ補正量と、レンズ位置検出部２０９によって検出されたシフトレンズユニット１０３の現在位置とから偏差を算出して、フィードバック制御を行う。また、シフトレンズ制御部２１０は、後述するシフトレンズユニット１０３の敏感度の情報を保持しており、ズーム位置と敏感度との関係のテーブルとして保持している。
【００２４】
シフトレンズ中心位置移動量算出部２１２は、現在のズーム位置において被写体指定部１１９が検知した、画角上での被写体の所定の位置から画角中心に相当する位置までの距離を算出する。ここで、シフトレンズユニット１０３はズーム位置に依存する敏感度を有するレンズであるため、ある所定量の手振れに対してシフトレンズユニット１０３を駆動して補正する量は、敏感度によって一意に決まるものである。そのため、露光間ズーム制御部２０６により露光中のズームレンズユニット１０１の駆動が終了したとき、終了した時点のズーム位置における画角上での被写体の位置から画角中心までの距離は敏感度を考慮したシフトレンズ中心位置移動量として一意に算出される。シフトレンズ中心位置変更部２１１は、シフトレンズ中心位置移動量算出部２１２が算出したシフトレンズ中心位置移動量分だけ、シフトレンズユニット１０３の中心位置を変更する。
【００２５】
図３は、本実施形態における露光間ズーム制御の処理手順の一例を示すフローチャートである。
まず、図３のステップＳ６０１において、操作部１１６で露光間ズーム撮影モードにセットされると露光間ズーム制御の処理を開始する。ステップＳ６０２において、ズームレンズユニット１０１を露光間ズーム制御の開始位置へ移動させる。具体的には、システム制御部１１８から露光間ズーム制御開始の指令を受け取った露光間ズーム制御部２０６は、その指令信号をズーム制御部２０５へ伝達して、ズームレンズユニット１０１を露光間ズーム制御の開始位置まで駆動させる。次に、ステップＳ６０３において、システム制御部１１８は、操作部１１６のＳＷ１がオンにされるまで待機する。
【００２６】
そして、システム制御部１１８が、ＳＷ１がオンになったことを検知すると、ステップＳ６０４において、フォーカス駆動制御部１１２は、フォーカスレンズユニット１０４の位置を動かして合焦処理を行う。次に、ステップＳ６０５において、被写体指定部１１９は、ステップＳ６０４でピントが合った被写体を検知する。具体的には、例えばオートフォーカスエリアに対応する領域にピントが合った被写体が存在するとしても良いし、被写体の顔を公知の技術により検知しても良い。なお、顔検知の技術については一般的な技術であるため説明は省略する。また、被写体の顔が複数存在する場合は、最も画角の中心に近い顔を対象とする。
【００２７】
次に、ステップＳ６０６において、シフトレンズ中心位置移動量算出部２１２は、図４のようにステップＳ６０５で検知した被写体が存在する画角上での位置と画角中心に相当する位置までの距離を算出する。以下、この画角上での被写体の位置と画角中心に相当する位置までの距離のことを差分中心距離と称す。この差分中心距離は、ズームレンズユニット１０１の各停止位置（以下、ズームポイント）に依存する値である。そこで、以下、露光間ズーム制御を開始する位置のズームポイント（以下、ＺＳ）における差分中心距離を、差分中心距離［ＺＳ］と称す。ステップＳ６０６では、この差分中心距離［ＺＳ］を算出する。
【００２８】
次に、ステップＳ６０７において、システム制御部１１８は、シャッタ・絞り駆動制御部１１０から露光情報を取得する。ここで、露光情報とは、露光の開始から終了までの時間や露光量などの情報である。この露光終了時間の情報から、露光間ズーム制御を終了する位置のズームポイント（以下、ＺＥ）の情報を得ることができる。次に、ステップＳ６０８において、シフトレンズ中心位置移動量算出部２１２は、各ズームポイント（以下、任意のズームポイントとしてＺＮと称す）におけるそれぞれの差分中心距離［ＺＮ］を算出する。具体的には、シフトレンズ中心位置移動量算出部２１２がシステム制御部１１８からステップＳ６０７で得られた露光情報を取得し、ステップＳ６０６及びＳ６０７で得られた情報から各ズームポイントにおけるそれぞれの差分中心距離［ＺＮ］を算出する。
【００２９】
次に、ステップＳ６０９において、シフトレンズ中心位置移動量算出部２１２は、露光間ズーム制御で経由する全てのズームポイントに対するシフトレンズユニット１０３の敏感度の情報をシフトレンズ制御部２１０から取得する。以下、この各ズームポイントにおける敏感度をシフトレンズ敏感度［ＺＮ］と称す。次に、ステップＳ６１０において、ステップＳ６０８で算出された差分中心距離［ＺＮ］と、ステップＳ６０９で取得したシフトレンズ敏感度［ＺＮ］とから、シフトレンズ中心位置移動量算出部２１２により移動量算出を行う。以下、各ズームポイントにおけるシフトレンズの中心位置の移動量を行うが、この各ズームポイントにおけるシフトレンズの中心位置の移動量を中心移動量［ＺＮ］と称す。
【００３０】
次に、ステップＳ６１１において、システム制御部１１８は、操作部１１６のＳＷ２がオンになるまで待機する。そして、システム制御部１１８が、ＳＷ２がオンになったことを検知すると、ステップＳ６１２において、露光間ズーム駆動を開始する。ここで、ステップＳ６１２における露光間ズーム駆動とは、ズームレンズ駆動とシフトレンズ駆動と露光とを同時に行うことである。露光中に、露光間ズーム制御部２０６の指令を受けて、ズーム制御部２０５がズームレンズユニット１０１の駆動を行い、各ズームポイントＺＮにおいては、シフトレンズ中心位置変更部２１１が中心移動量［ＺＮ］分だけシフトレンズユニット１０３を駆動する。この動作はシフトレンズを駆動する所定周期にて行われる。
【００３１】
次に、ステップＳ６１３において、システム制御部１１８は、露光間ズーム駆動が終了するまで待機する。そして、露光間ズーム駆動が終了すると、ステップＳ６１４において、露光間ズーム制御部２０６の指令により、ズーム制御部２０５はズームレンズユニット１０１を露光間ズーム制御の開始位置へ戻す。本実施形態では、露光間ズーム駆動が終了すると、次の露光間ズーム駆動に備えて、ズーム位置を露光間ズーム制御の開始位置へ戻している。そして、ステップＳ６１５において、露光間ズーム制御を終了する。
【００３２】
図４は、本実施形態の露光間ズーム撮影により得られる画像の一例を示す図である。図４（ａ）に示す露光間ズーム駆動前の状態では、被写体像は合焦されている。そして、ステップＳ６１２では、図４（ｂ）に示すように、シフトレンズ中心位置変更部２１１がシフトレンズユニット１０３を駆動させて、あたかも被写体の位置がその場から変化せずに、ズーミングされた状況を作り出す。その結果、露光間ズーム駆動が終了した時には、図４（ｃ）に示すように、画角上での被写体の位置はあたかもそのままであるが、さらにズーミングされた状況になる。図４（ｄ）に示す画像は、図４（ａ）に示すピントが合っている被写体が最も鮮明に露光されている。そして、図４（ｂ）及び図４（ｃ）に示す画像の効果により、画角上での被写体の位置はそのままでありながら、その被写体の位置から周辺へ向けて放射状に流れた画像が形成される。
【００３３】
以上のように本実施形態によれば、被写体指定部１１９が被写体の位置情報を取得して、各ズームポイントにおけるシフトレンズの中心移動量［ＺＮ］を算出する。そして、露光中に、ズーム制御部２０５がズームレンズユニット１０１の駆動を行い、各ズームポイントＺＮにおいては、シフトレンズ中心位置変更部２１１が中心移動量［ＺＮ］分だけシフトレンズユニット１０３を駆動するようにした。これにより、被写体が画角の中心にない場合であっても、被写体から周辺に向けて放射状に流れた画像を得ることができる。
【００３４】
（第２の実施形態）
本実施形態では、ユーザにより露光間ズーム撮影の対象となる被写体を選択することができる例について説明する。なお、本実施形態に係る撮像装置の構成は図１及び図２に示す構成と同様であるため、説明は省略する。
【００３５】
図５は、本実施形態における露光間ズーム制御の処理手順の一例を示すフローチャートである。
図５において、ステップＳ７０１及びＳ７０２はそれぞれ、図３のステップＳ６０１及びＳ６０２と同様であるため、説明は省略する。そして、ステップＳ７０３において、システム制御部１１８は、ユーザにより操作部１１６を介して、表示部１０８にリアルタイムに表示されている画像上の任意の位置を被写体位置として設定されるまで待機する。この任意の位置はズームレンズユニット１０１の各停止位置（ズームポイント）に依存する値であるため、差分中心位置［ＺＳ］として設定される。ユーザが行うＳ７０３の操作は、操作部１１６がタッチパネルであってもキーやボタンで選択しても良い。
【００３６】
次に、ステップＳ７０４において、システム制御部１１８は、操作部１１６のＳＷ１がオンになるまで待機する。システム制御部１１８が、ＳＷ１がオンになったことを検知すると、ステップＳ７０５において、フォーカス駆動制御部１１２は、フォーカスレンズユニット１０４の位置を動かして差分中心位置［ＺＳ］に対して合焦処理を行う。次に、ステップＳ７０６において、シフトレンズ中心位置移動量算出部２１２は、差分中心位置［ＺＳ］から画角中心位置までの差分中心距離［ＺＳ］を算出する。なお、ユーザが設定した位置が画角中心位置であった場合は、差分中心距離［ＺＳ］はゼロとなる。
【００３７】
次のステップＳ７０７〜Ｓ７１３までの処理は、図３のステップＳ６０７〜Ｓ６１３までの処理と同様であるため、説明は省略する。そして、ステップＳ７１４において、露光間ズーム制御部２０６の指令により、ズーム制御部２０５はズームレンズユニット１０１を露光間ズーム制御の開始位置へ戻し、シフトレンズ制御部２１０は、シフトレンズユニット１０３を画角中心に戻す。これにより、シフトレンズユニット１０３が画角中心へ移動する動作がズーム駆動動作に隠れるため、ユーザに見咎められることなく次の露光間ズーム制御に備えることができる。そして、露光間ズーム制御を終了する。
【００３８】
以上のように本実施形態によれば、ユーザが選択した被写体の位置情報を取得して、各ズームポイントにおけるシフトレンズの中心移動量［ＺＮ］を算出する。そして、露光中に、ズーム制御部２０５がズームレンズユニット１０１の駆動を行い、各ズームポイントＺＮにおいては、シフトレンズ中心位置変更部２１１が中心移動量［ＺＮ］分だけシフトレンズユニット１０３を駆動するようにした。これにより、被写体が画角の中心にない場合であっても、被写体から周辺に向けて放射状に流れた画像を得ることができる。
【００３９】
（第３の実施形態）
第１及び第２の実施形態では、露光間ズーム駆動を行う際に、シフトレンズユニット１０３も駆動させていた。これに対して本実施形態では、被写体を検出すると、露光間ズーム駆動を行う前にシフトレンズを画角中央に移動させてから露光間ズーム駆動を行う例について説明する。本実施形態では、使用する情報は露光間ズーム制御を開始する時におけるズームポイントＺＳのみであるため、各ズームポイントにおける差分中心距離［ＺＮ］は算出しない。なお、本実施形態に係る撮像装置の構成は図１及び図２に示す構成と同様であるため、説明は省略する。
【００４０】
図６は、本実施形態における露光間ズーム制御の処理手順の一例を示すフローチャートである。
図６において、ステップＳ８０１〜Ｓ８０７はそれぞれ、図３のステップＳ６０１〜Ｓ６０７と同様であるため、説明は省略する。そして、ステップＳ８０８において、シフトレンズ中心位置移動量算出部２１２は、シフトレンズ敏感度［ＺＳ］の情報をシフトレンズ制御部２１０から取得する。そして、ステップＳ８０９において、シフトレンズ中心位置移動量算出部２１２は、ステップＳ８０６で算出された差分中心距離［ＺＳ］と、ステップＳ８０８で取得したシフトレンズ敏感度［ＺＳ］とから、中心移動量［ＺＳ］を算出する。
【００４１】
次に、ステップＳ８１０において、シフトレンズ制御部２１０は、シフトレンズユニット１０３の中心位置を中心移動量［ＺＳ］だけ駆動する。このように露光間ズーム駆動を行う前にシフトレンズユニット１０３を移動させるため、露光間ズームの駆動中、シフトレンズユニット１０３は駆動させない。次に、ステップＳ８１１において、システム制御部１１８は、操作部１１６のＳＷ２がオンになるまで待機する。そして、システム制御部１１８が、ＳＷ２がオンになったことを検知すると、ステップＳ８１２において、露光間ズーム駆動を開始する。ステップＳ８１２における露光間ズーム駆動とは、ズームレンズ駆動と露光とを同時に行うことである。具体的には、露光中に、露光間ズーム制御部２０６の指令を受けて、ズーム制御部２０５がズームレンズユニット１０１の駆動を行う。なお、ステップＳ８１３〜Ｓ８１５はそれぞれ、図３のステップＳ６１３〜Ｓ６１５と同様であるため、説明は省略する。
【００４２】
本実施形態では、ズーム駆動を行う前にシフトレンズユニット１０３を駆動させて、被写体を画角中心に据えることにより、図８（ｄ）に示すような画像が形成される。以上のように本実施形態によれば、被写体指定部１１９が被写体の位置情報を取得して、差分中心距離［ＺＳ］を算出する。そして、ズーム制御部２０５がズームレンズユニット１０１の駆動を行う前に、シフトレンズ中心位置変更部２１１が中心移動量［ＺＳ］分だけシフトレンズユニット１０３を駆動するようにした。これにより、被写体が画角の中心にない場合であっても、被写体から周辺に向けて放射状に流れた画像を得ることができる。
【００４３】
（第４の実施形態）
本実施形態では、第２の実施形態と第３の実施形態とを組み合わせて、ユーザが被写体の位置を設定すると、露光間ズーム駆動を行う前にシフトレンズを画角中央に移動させてから露光間ズーム駆動を行う例について説明する。なお、本実施形態に係る撮像装置の構成は図１及び図２に示す構成と同様であるため、説明は省略する。
【００４４】
図７は、本実施形態における露光間ズーム制御の処理手順の一例を示すフローチャートである。
図７のステップＳ９０１〜Ｓ９０６はそれぞれ、図５のステップＳ７０１〜Ｓ７０６と同様の処理であり、ユーザが被写体の位置として設定した差分中心位置［ＺＳ］から画角中心位置までの差分中心距離［ＺＳ］を算出する。また、ステップＳ９０７〜Ｓ９１５はそれぞれ、図６のステップＳ９０７〜Ｓ９１５と同様に、露光間ズーム駆動を行う前にシフトレンズを画角中央に移動させてから露光間ズーム駆動を行う。これにより、シフトレンズユニット１０３が画角中心へ移動する動作がズーム駆動動作に隠れるため、ユーザに見咎められることなく次の露光間ズーム制御に備えることができる。
【００４５】
以上のように本実施形態によれば、以上のように本実施形態によれば、ユーザにより選択された被写体の位置情報を取得して、差分中心距離［ＺＳ］を算出する。そして、ズーム制御部２０５がズームレンズユニット１０１の駆動を行う前に、シフトレンズ中心位置変更部２１１が中心移動量［ＺＳ］分だけシフトレンズユニット１０３を駆動するようにした。これにより、被写体像が画角の中心にない場合であっても、被写体像から画像の周辺に向けて放射状に流れた画像を得ることができる。
【００４６】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４７】
１０１  ズームレンズユニット、１０３  シフトレンズユニット、１０５  撮像素子、１０９  ズーム駆動制御部、１１１  シフトレンズ駆動制御部、１１８  システム制御部、１１９  被写体指定部
【図１】
2011095501.tif 000003
【図２】
2011095501.tif 000004
【図３】
2011095501.tif 000005
【図４】
2011095501.tif 000006
【図５】
2011095501.tif 000007
【図６】
2011095501.tif 000008
【図７】
2011095501.tif 000009
【図８】
2011095501.tif 000010
【図９】
2011095501.tif 000011